(57)【要約】【課題】従来のポインティング装置は、表示画面上の移動距離が、角速度から算出される移動量の総量に比例しているため、画面上で長い距離を移動させようとすると、ジャイロを内蔵したリモコンを大きく傾ける必要があり、使い勝手が悪い。【解決手段】スクリーン１上に縦・横方向に複数配置表示されているメニュー項目についての選択表示を、受信した角速度情報に従って移動する画像表示装置３０を有するプレゼンテーション用表示装置において、角速度情報から得られたサンプリング毎の移動量が連続して所定値を越えた回数に応じて選択表示の移動先のメニュー項目を決定する。【選択図】　図１
2004062774.tif 000002
【特許請求の範囲】
【請求項１】
水平方向および垂直方向の角速度を検出する手段と検出した角速度情報を送信する手段を備えたポインティング装置と、該ポインティング装置から送信された角速度情報を受信する受信手段を有しスクリーン上に縦・横方向に複数配置表示されているメニュー項目についての選択表示を受信した角速度情報に従って移動する機能を備えた画像表示装置とで構成されたプレゼンテーション用表示装置において、
前記角速度情報から得られたサンプリング毎の移動量が連続して所定値を越えた回数に応じて選択表示の移動先のメニュー項目を決定する手段を備えたことを特徴とするプレゼンテーション用表示装置。
【請求項２】
水平方向および垂直方向の角速度を検出する手段と検出した角速度情報を送信する手段を備えたポインティング装置と、該ポインティング装置から送信された角速度情報を受信する受信手段を有しスクリーン上に表示されたメニュー項目の数値設定用の指標を受信した角速度情報に従って数値の増大または減少方向に移動させて表示する機能を備えた画像表示装置とで構成されたプレゼンテーション用表示装置において、
前記角速度情報から得られたサンプリング毎の移動量が連続して所定値を越えた回数に応じて数値設定用指標の増大または減少の変更幅を決定する手段を備えたことを特徴とするプレゼンテーション用表示装置。
【請求項３】
水平方向および垂直方向の角速度を検出する手段と検出した角速度情報を送信する手段を備えたポインティング装置と、該ポインティング装置から送信された角速度情報を受信する受信手段を有しスクリーン上に表示された画像を受信した角速度情報に従って移動させるパンニング機能を備えた画像表示装置とで構成されたプレゼンテーション用表示装置において、
前記角速度情報から得られたサンプリング毎の移動量が連続して所定値を越えた回数に応じた移動量でパンニングする手段を備えたことを特徴とするプレゼンテーション用表示装置。
【請求項４】
水平方向および垂直方向の角速度を検出する手段と検出した角速度情報を送信する手段を備えたポインティング装置と、該ポインティング装置から送信された角速度情報を受信する受信手段を有しスクリーン上に表示された子画面を受信した角速度情報に従って移動や拡大する機能を有するピクチャインピクチャ機能付き画像表示装置とで構成されたプレゼンテーション用表示装置において、前記角速度情報から得られたサンプリング毎の移動量が連続して所定値を越えた回数に応じた移動量で子画面の移動または拡大を行うことを特徴とするプレゼンテーション用表示装置。
【請求項５】
水平方向および垂直方向の角速度を検出する手段と検出した角速度情報を送信する手段を備えたポインティング装置と、該ポインティング装置から送信された角速度情報を受信する受信手段を有しスクリーン上に表示されたメニュー項目の数値設定用の指標を受信した角速度情報に従って数値の増大または減少方向に移動させて表示する機能を備えた画像表示装置とで構成されたプレゼンテーション用表示装置において、
前記角速度情報から得られたサンプリング毎の移動量が連続して所定値を越えた回数に応じて数値設定用指標の増大または減少の速度を変更する手段を備えたことを特徴とするプレゼンテーション用表示装置。
【請求項６】
水平方向および垂直方向の角速度を検出する手段と検出した角速度情報を送信する手段を備えたポインティング装置と、該ポインティング装置から送信された角速度情報を受信する受信手段を有しスクリーン上に表示されたカーソルやポイントを角速度情報に従って移動する機能を備えた画像表示装置とで構成されたプレゼンテーション用表示装置において、
前記角速度情報から得られたサンプリング毎の移動量が連続して所定値を越えた回数に応じた移動量でカーソルやポイントを移動する手段を備えたことを特徴とするプレゼンテーション用表示装置。
【請求項７】
水平方向および垂直方向の角速度を検出する手段と検出した角速度情報を送信する手段を備えたポインティング装置と、該ポインティング装置から送信された角速度情報を受信する受信手段を有しスクリーン上に表示されたポイントを受信した角速度情報に従って移動する機能を備えた画像表示装置とで構成されたプレゼンテーション用表示装置において、
前記角速度情報から得られたサンプリング毎の移動量が連続して所定値を越えた回数に応じてポイントの移動速度を変更する手段を備えたことを特徴とするプレゼンテーション用表示装置。
【発明の詳細な説明】
【０００１】
【発明の属する技術分野】
本発明は、ジャイロを内蔵したリモコン（以下、ジャイロリモコンと略称する）からなるポインティング装置と、液晶プロジェクタ等の投影型画像表示装置を用いたプレゼンテーション用表示装置に関する。
【０００２】
【従来の技術】
近年、液晶プロジェクタ等の投影型画像表示装置を用いてコンピュータや動画による画像を表示し、ポインティング装置を用いて効果的なプレゼンテーションを行うケースが増加しているが、このポインティング装置にジャイロリモコンを利用した装置が提案されている。該ジャイロリモコンを利用した装置は、本体を特定方向に移動させ、一定時間毎に移動前後の相対位置の情報をサンプリングし、その相対位置情報を表示装置に送信する。表示装置は、受信した相対位置情報を基にして、画面上のメインメニューのメニュー項目の選択位置を移動したり、カーソルやポイントを移動させたり、パンニングしたり、ピクチャインピクチャの移動をしている。
【０００３】
【発明が解決しようとする課題】
しかしながら、これら従来のジャイロリモコンからなるポインティング装置では、例えば、メニューの項目選択を行う際には、受信したデータの総移動量が規定値を超えた場合にメニュー項目を移動させる方式なので、画面上で長い距離を移動させようとすると、ジャイロリモコンを大きく移動させる必要があり、使い勝手が悪い。その対策として、感度を大きくすることが考えられるが、感度を大きくすると、短い距離を動かした場合の移動量が大きくなり過ぎ微細な移動が困難になるという問題が生じてくる。また、ポインティング装置を用いて、数値を増減変更したり、ポインタの表示位置を移動させたりする場合に、従来はそれらの変動や移動が一定速度で行われているため、変動幅や移動幅が大きいと、長時間ポインティング装置を操作し続けなければならず、操作性が悪いという問題があった。
【０００４】
【課題を解決するための手段】
そこで上記課題を解決するために、請求項１の発明は、水平方向および垂直方向の角速度を検出する手段と検出した角速度情報を送信する手段を備えたポインティング装置と、該ポインティング装置から送信された角速度情報を受信する受信手段を有しスクリーン上に縦・横方向に複数配置表示されているメニュー項目についての選択表示を受信した角速度情報に従って移動する機能を備えた画像表示装置とで構成されたプレゼンテーション用表示装置において、前記角速度情報から得られたサンプリング毎の移動量が連続して所定値を越えた回数に応じて選択表示の移動先のメニュー項目を決定する手段を備えたことを特徴とする。
【０００５】
請求項２の発明は、水平方向および垂直方向の角速度を検出する手段と検出した角速度情報を送信する手段を備えたポインティング装置と、該ポインティング装置から送信された角速度情報を受信する受信手段を有しスクリーン上に表示されたメニュー項目の数値設定用の指標を受信した角速度情報に従って数値の増大または減少方向に移動させて表示する機能を備えた画像表示装置とで構成されたプレゼンテーション用表示装置において、前記角速度情報から得られたサンプリング毎の移動量が連続して所定値を越えた回数に応じて数値設定用指標の増大または減少の変更幅を決定する手段を備えたことを特徴とする。
【０００６】
請求項３の発明は、水平方向および垂直方向の角速度を検出する手段と検出した角速度情報を送信する手段を備えたポインティング装置と、該ポインティング装置から送信された角速度情報を受信する受信手段を有しスクリーン上に表示された画像を受信した角速度情報に従って移動させるパンニング機能を備えた画像表示装置とで構成されたプレゼンテーション用表示装置において、前記角速度情報から得られたサンプリング毎の移動量が連続して所定値を越えた回数に応じた移動量でパンニングする手段を備えたことを特徴とする。
【０００７】
請求項４の発明は、水平方向および垂直方向の角速度を検出する手段と検出した角速度情報を送信する手段を備えたポインティング装置と、該ポインティング装置から送信された角速度情報を受信する受信手段を有しスクリーン上に表示された子画面を受信した角速度情報に従って移動や拡大する機能を有するピクチャインピクチャ機能付き画像表示装置とで構成されたプレゼンテーション用表示装置において、前記角速度情報から得られたサンプリング毎の移動量が連続して所定値を越えた回数に応じた移動量で子画面の移動または拡大を行うことを特徴とする。
【０００８】
請求項５の発明は、水平方向および垂直方向の角速度を検出する手段と検出した角速度情報を送信する手段を備えたポインティング装置と、該ポインティング装置から送信された角速度情報を受信する受信手段を有しスクリーン上に表示されたメニュー項目の数値設定用の指標を受信した角速度情報に従って数値の増大または減少方向に移動させて表示する機能を備えた画像表示装置とで構成されたプレゼンテーション用表示装置において、前記角速度情報から得られたサンプリング毎の移動量が連続して所定値を越えた回数に応じて数値設定用指標の増大または減少の速度を変更する手段を備えたことを特徴とする。
【０００９】
請求項６の発明は、水平方向および垂直方向の角速度を検出する手段と検出した角速度情報を送信する手段を備えたポインティング装置と、該ポインティング装置から送信された角速度情報を受信する受信手段を有しスクリーン上に表示されたカーソルやポイントを角速度情報に従って移動する機能を備えた画像表示装置とで構成されたプレゼンテーション用表示装置において、前記角速度情報から得られたサンプリング毎の移動量が連続して所定値を越えた回数に応じた移動量でカーソルやポイントを移動する手段を備えたことを特徴とする。
【００１０】
請求項７の発明は、水平方向および垂直方向の角速度を検出する手段と検出した角速度情報を送信する手段を備えたポインティング装置と、該ポインティング装置から送信された角速度情報を受信する受信手段を有しスクリーン上に表示されたポイントを受信した角速度情報に従って移動する機能を備えた画像表示装置とで構成されたプレゼンテーション用表示装置において、前記角速度情報から得られたサンプリング毎の移動量が連続して所定値を越えた回数に応じてポイントの移動速度を変更する手段を備えたことを特徴とする。
【００１１】
【発明の実施の形態】
以下、図に沿って本発明の実施形態を説明する。
【００１２】
図１は本発明に係るプレゼンテーション用表示装置の構成を示すブロック図である。図において、１はスクリーンである。２０はポインティング装置であり、リセットボタン等のボタン群２１、角速度検出手段２２、データ送信手段２３、ポインティング装置システムマイコン２４により構成される。３０は画像表示装置であり、データ受信手段３１、表示手段３２、画像表示装置システムマイコン３３により構成される。ここで、角速度検出手段２２はジャイロからなり、３次元の情報を水平方向および垂直方向の２次元の情報に変換し、移動した前後の相対的な位置情報を一定時間毎に読み取り（サンプリング）、その移動前後の相対位置を検出する。検出された相対位置情報は、データ送信手段２３からデータ受信手段３１へワイヤレスにより送信される。これらにより、プレゼンテーション用表示装置が構成され、画像表示装置３０から図示しないコンピュータ画像がスクリーン１に投影され、その画像について、ポインティング装置２０を用いて各種の表示や操作が行われる。
【００１３】
図２は第１の実施の形態の発明に係るスクリーン１の表示例を示す。スクリーン１には、初期画面等として、縦・横両方向にメニュー項目が配列されて表示されることがある。オペレータは、この画面で、ポインティング装置２０を用い、最初、左上のメニュー項目に色や輝度を変えたり反転表示等によりなされている選択表示を、縦または横方向に移動させて最終的に目的のメニュー項目を選択する。具体的には、オペレータによってポインティング装置２０が振られると、角速度検出手段２２が、水平方向および垂直方向の角速度から、一定時間毎に移動前後の相対位置の情報をサンプリングし、その移動前後の相対位置を検出し、その相対位置情報をデータ送信手段２３を介して、画像表示装置３０のデータ受信手段３１へ送る。次に、その相対位置情報を受信した画像表示装置３０のシステムマイコン３３が、それを積分して移動量を算出する。次いで、得られたサンプリング毎の移動量が連続して所定値を越えた回数に応じて選択表示の移動先のメニュー項目を決定する。
【００１４】
例えば、図２のスクリーン１で、最初にメニュー１１が選択されている状態で、ポインティング装置２０が水平方向に振られると、１０ｍｓｅｃの間隔で角速度をサンプリングし水平方向の移動量が一定値を越えた回数が５回の場合は、メニュー２１に移動する。また、５回（計１０回）続いた場合は、メニュー３１に移動する。さらに、５回（計１５回）続いた場合は、メニュー４１に移動する。同様に、ポインティング装置２０が垂直方向に振られた場合も、算出された移動量が連続して所定値を越えた回数（期間）に応じて選択表示の移動先を、メニュ１２、メニュー１３等にして移動を行う。この場合は、ポインティング装置２０の振りの総移動量でなく、振りを連続して続けた回数（時間）に比例して移動先が決定されるため、多くのメニューを移動しようとする場合は、ゆっくりした動作で長時間振れば良いことになる。その結果、ポインティング装置２０を大きく振り回すことが解消される。
【００１５】
図３は第２の実施の形態の発明に係るスクリーン１の表示例を示す。図２において、スクリーン１で選択されたメニューー項目が例えば明るさの数値を設定するものである場合がある。その数値設定のメニュー項目を示したのが図３であり、メニュー項目３４には、設定数値３５の増減とともに左右に連続移動して表示される指標３６が表示されている。この指標３６は、オペレータによりポインティング装置２０が水平方向に振られることで増大または減少方向に移動する。具体的には、オペレータによってポインティング装置２０が水平方向に振られると、角速度検出手段２２が、水平方向の角速度から、一定時間毎に移動前後の相対位置の情報をサンプリングし、その移動前後の相対位置を検出し、それをデータ送信手段２３を介して、画像表示装置３０のデータ受信手段３１へ送る。次に、該相対位置情報を受信した画像表示装置３０のシステムマイコン３３が、それを積分して移動量を算出する。次いで、得られたサンプリング毎の移動量が連続して所定値を越えた回数に応じて指標３６の増大または減少の変更幅を決定する。
【００１６】
例えば、図３のスクリーン１で、最初に数値４８２０が設定されている状態で、ポインティング装置２０が水平方向の増大方向に振られると、画像表示装置システムマイコン３３では１０ｍｓｅｃ間隔で相対位置情報をサンプリングし水平方向の移動量が一定値を越えた回数が５回の場合は、変更幅を５０として指標を４８７０に移動する。また、５回（計１０回）続いた場合は、変更幅を１００として指標を４９２０に移動する。さらに、５回（計１５回）続いた場合は、変更幅を１５０として指標を４９７０に移動する。またさらに、５回（計２０回）間続いた場合は、変更幅を２００として指標を５０２０に移動する。これらの場合も、ポインティング装置２０の振りの総移動量でなく、振りを連続して続けた時間に比例して移動先が決定されるため、変更幅を大きくしようとする場合は、ゆっくりした動作で長時間振れば良いことになる。その結果、ポインティング装置２０を大きく振り回すことが解消される。
【００１７】
図４は第３の実施の形態の発明に係るスクリーン１の表示例を示す。スクリーン１に表示された画像について、パンニングしたい場合がある。例えば、画像の人物の上部が表示されている状態から下部の位置の画像にパンニングする場合は、画面をパンニング可能な状態にしてから、オペレータがポインティング装置２０を垂直方向に振ることでスクリーン１が相対的に下方に移動する。実際は、画像が上方に移動されるわけである。具体的には、オペレータによってポインティング装置２０が垂直方向に振られると、角速度検出手段２２が、角速度から一定時間毎に移動前後の相対位置の情報をサンプリングし、その移動前後の相対位置を検出し、それをデータ送信手段２３を介して、画像表示装置３０のデータ受信手段３１へ送る。次に、該相対位置情報を受信した画像表示装置３０のシステムマイコン３３が、それを積分して移動量を算出する。次いで、得られたサンプリング毎の移動量が連続して所定値を越えた回数に応じた移動量でパンニングが実行される。
【００１８】
例えば、図４のスクリーン１で、画像の上部を表示している状態で、ポインティング装置２０が垂直方向に振られと、画像表示装置システムマイコン３３では１０ｍｓｅｃの間隔で相対位置情報をサンプリングし垂直方向の移動量が一定値を越えた回数が５回の場合は、画像はスクリーン高さの２０％の距離を移動する。また、５回（計１０回）続いた場合は、スクリーン高さの４０％の距離を移動する。さらに、５回（計１５回）続いた場合は、スクリーン高さの６０％の距離を移動する。またさらに、５回（計２０回）続いた場合は、スクリーン高さの８０％の距離を移動する。こうして、画像が移動して画像の下部がスクリーン１に表示される。この場合も、ポインティング装置２０の振りの総移動量でなく、振りを連続して続けた時間に比例して移動量が決定されるため、パンニングの移動量を大きくしようとする場合は、ゆっくりした動作で長時間振れば良いことになる。その結果、ポインティング装置２０を大きく振り回すことが解消される。
【００１９】
図５は第４の実施の形態の発明に係るスクリーン１の表示例を示す。スクリーン１には、表示された画像の中にピクチャインピクチャ機能として子画面４２が表示されることがあり、オペレータは、カーソル４１をこの子画面４２内に移動した後に特定のボタン操作とポインティング装置２０操作により、子画面４２をスクリーン１内で徐々に拡大したり、一挙に全面一杯に拡大表示したり、スクリーン１内を移動させたりする機能を持たせることも可能である。
【００２０】
カーソル４１をこの子画面４２内に移動する具体方法としては、カーソル４１を移動するために、オペレータによってポインティング装置２０が振られると、角速度検出手段２２が、垂直方向および水平方向の角速度から、一定時間毎に移動前後の相対位置の情報をサンプリングし、その移動前後の相対位置を検出し、それをデータ送信手段２３を介して、画像表示装置３０のデータ受信手段３１へ送る。次に、該相対位置情報を受信した画像表示装置３０のシステムマイコン３３が、それを積分して移動量を算出する。次いで、得られたサンプリング毎の移動量が連続して所定値を越えた回数に応じてカーソル４１の移動先を決定する。
【００２１】
例えば、カーソル４１を子画面４２内に移動することで子画面４２をスクリーン１内で、一挙に全面一杯に拡大表示する機能を有している場合の動作を説明する。
【００２２】
図５のスクリーン１で、カーソル４１が左上に位置している状態で、ポインティング装置２０が水平方向に振られると、画像表示装置システムマイコン３３では１０ｍｓｅｃの間隔で相対位置情報をサンプリングし水平方向の移動量が一定値を越えた回数が５回の場合は、スクリーン幅の２０％の距離を移動する。また、５回（計１０回）続いた場合は、スクリーン幅の４０％の距離を移動する。さらに、５回（計１５回）続いた場合は、スクリーン幅の６０％の距離を移動する。またさらに、５回（計２０回）続いた場合は、スクリーン幅の８０％の距離を移動する。こうして、カーソル４１が移動して右上の子画面４２内に到達させた後に瞬間ズームボタン２１ａを押すことで、子画面４２がスクリーン１全面に拡大表示される。この場合も、カーソル４１の移動はポインティング装置２０の振りの総移動量でなく、振りを連続して続けた時間に比例して移動距離が決定されるため、大きく移動しようとする場合は、ゆっくりした動作で長時間振れば良いことになる。その結果、ポインティング装置２０を大きく振り回すことが解消される。
【００２３】
次に、子画面４２をスクリーン１内で移動させる場合の動作を説明する。
【００２４】
図５のスクリーン１で、カーソル４１が左上に位置している状態で、同様操作にてカーソル４１を子画面４２内に移動させる。カーソル４１を子画面４２内に移動させた後、移動ボタン２１ｂを押しながらポインティング装置２０が水平方向に振られると、画像表示装置システムマイコン３３では１０ｍｓｅｃの間隔で相対位置情報をサンプリングし水平方向の移動量が一定値を越えた回数が５回の場合は、子画面４２はスクリーン幅の２０％の距離を移動する。また、５回（計１０回）続いた場合は、子画面４２はスクリーン幅の４０％の距離を移動する。さらに、５回（計１５回）続いた場合は、子画面４２はスクリーン幅の６０％の距離を移動する。またさらに、５回（計２０回）続いた場合は、子画面４２はスクリーン幅の８０％の距離を移動する。この場合も、子画面４２の移動はポインティング装置２０の振りの総移動量でなく、振りを連続して続けた時間に比例して移動距離が決定されるため、大きく移動しようとする場合は、ゆっくりした動作で長時間振れば良いことになる。その結果、ポインティング装置２０を大きく振り回すことが解消される。
【００２５】
図６は第５の実施の形態の発明に係るスクリーン１の表示例を示す。メニュー項目５０には、設定数値５１の増減とともに左右に連続移動して表示される指標５２が表示されている。この指標５２は、オペレータによりポインティング装置２０が水平方向に振られることで増大または減少方向に移動する。具体的には、オペレータによってポインティング装置２０が水平方向に振られると、角速度検出手段２２が、水平方向の角速度から一定時間毎に移動前後の相対位置の情報をサンプリングし、その移動前後の相対位置を検出し、それをデータ送信手段２３を介して、画像表示装置３０のデータ受信手段３１へ送る。次に、角速度を受信した画像表示装置３０のシステムマイコン３３が、それを積分して移動量を算出する。次いで、得られたサンプリング毎の移動量が連続して所定値を越えた回数に応じて指標２７の増大または減少の速度を変更する。
【００２６】
例えば、図６のスクリーン１で、最初に明るさの数値４８２０が設定されている状態で、ポインティング装置２０が水平方向の増大方向に振られると、画像表示装置システムマイコン３３では１０ｍｓｅｃ間隔で相対位置情報をサンプリングし水平方向の移動量が一定値を越えた回数が５回の場合は、カウント速度を５０／ｓｅｃとして変更する。また、５回（計１０回）続いた場合は、カウント速度を１００／ｓｅｃとして変更する。さらに、５回（計１５回）続いた場合は、カウント速度を１５０／ｓｅｃとして変更する。またさらに、５回（計２０回）続いた場合は、カウント速度を２００／ｓｅｃとして変更する。この時間とカウント速度の関係を示したのが図３のグラフである。このようにして、指標の変更は、ポインティング装置２０の振りの総移動量でなく、振りを連続して続けた時間に比例してカウント速度が決定されるため、時間の経過とともにカウント速度が加速度的に増大して変更される。すなわち、設定数値を大きく変更しようとする場合は、ポインティング装置２０をゆっくりした動作で長時間振れば良いことになる。その結果、ポインティング装置２０を大きく振り回すことが解消される。
【００２７】
図８は第６、第７の実施の形態の発明に係るスクリーン１の表示例を示す。スクリーン１には、表示された画像の特定部分を指すためにポインタ５３を表示することがある。ポインタ５３の移動は、ポインティング装置２０を振ることで行われる。具体的には、このポインタ５３が画像Ａを指している状態から、画像Ｂに移動させようとする場合、ポインティング装置２０を水平方向に振ることで実現される。すなわち、ポインティング装置２０が振られると、角速度検出手段２２が、水平方向の角速度から、一定時間毎に移動前後の相対位置の情報をサンプリングし、その移動前後の相対位置を検出し、それをデータ送信手段２３を介して、画像表示装置３０のデータ受信手段３１へ送る。次に、該相対位置情報を受信した画像表示装置３０のシステムマイコン３３が、それを積分して移動量を算出する。次いで、得られたサンプリング毎の移動量が連続して所定値を越えた回数に応じてポインタ５３の移動速度を加速度的に増大する。
【００２８】
例えば、図８のスクリーン１で、ポイント５３が左上の画像Ａに位置している状態で、ポインティング装置２０が水平方向の右方向に振られと、画像表示装置システムマイコン３３では１０ｍｓｅｃの間隔で角速度がサンプリングされ、水平方向の移動量が一定値を越えた回数が５回の場合は、スクリーン幅を１００％としてその２０％／ｓｅｃの移動速度で移動する。また、５回（計１０回）続いた場合は、４０％／ｓｅｃの移動速度で移動する。さらに、５回（計１５回）続いた場合は、６０％／ｓｅｃの移動速度で移動する。この時間と速度の関係を示したのが図９のグラフである。この場合も、ポインティング装置２０の振りの総移動量でなく、振りを連続して続けた時間に比例して移動速度が決定されるため、時間の経過とともに移動速度が加速度的に増大して移動される。すなわち、ポイント５３を大きく移動しようとする場合は、ポインティング装置２０をゆっくりした動作で長時間振れば良いことになる。その結果、ポインティング装置２０を大きく振り回すことが解消される。
【００２９】
実際のプレゼンテーション用表示装置は、上述した第１〜第７の実施の形態の発明が組み合わされて構成される。その場合は、相対位置情報からサンプリング毎に算出する移動量の感度を、用途に応じて変更することが好ましい。例えば、メニューの選択項目、メニューの項目調整、ピクチャインピクチャについての感度を１倍とすると、ポイントの移動については感度を２倍とし、パンニングについては感度を３倍とすると良好な使い勝手が得られる。
【００３０】
【発明の効果】
以上述べたように本発明によれば、角速度情報から得られたサンプリング毎の移動量が連続して所定値を越えた回数に応じて選択表示の移動先のメニュー項目を決定する手段を備えたことにより、ポインティング装置を移動する動作を一定時間以上続けることで、希望するメニュー項目へ移動可能となり、使い勝手が向上する。
【００３１】
また、角速度情報から得られたサンプリング毎の移動量が連続して所定値を越えた回数に応じて数値設定用指標の増大または減少の変更幅を決定する手段を備えたことにより、ポインティング装置を傾ける動作を一定時間以上続けることで、希望する数値への設定変更が容易になり、使い勝手が向上する。
【００３２】
また、角速度情報から得られたサンプリング毎の移動量が連続して所定値を越えた回数に応じた移動量でパンニングする手段を備えたことにより、ポインティング装置を傾ける動作を一定時間以上続けることで、希望する画像部分へのパンニングが可能となり、使い勝手が向上する。
【００３３】
また、角速度情報から得られたサンプリング毎の移動量が連続して所定値を越えた回数に応じた移動量で子画面へ移動する手段を備えたことにより、ポインティング装置を傾ける動作を一定時間以上続けることで、希望する子画面へのピクチャインピクチャ移動が可能となり、使い勝手が向上する。
【００３４】
また、角速度情報から得られたサンプリング毎の移動量が連続して所定値を越えた回数に応じて数値設定用指標の増大または減少の速度が変更されることにより、ポインティング装置を傾ける動作を一定時間以上続けることで、希望する数値への設定変更が容易になり、使い勝手が向上する。
【００３５】
さらに、角速度情報から得られたサンプリング毎の移動量が連続して所定値を越えた回数に応じてポイントの移動速度が変更されることにより、ポインティング装置を傾ける動作を一定時間以上続けることで、希望する位置への移動が可能となり、使い勝手が向上する。
【図面の簡単な説明】
【図１】本発明の構成を示すブロック図である。
【図２】第１の実施の形態の発明に係るスクリーンの表示例を示す。
【図３】第２の実施の形態の発明に係るスクリーンの表示例を示す。
【図４】第３の実施の形態の発明に係るスクリーンの表示例を示す。
【図５】第４の実施の形態の発明に係るスクリーンの表示例を示す。
【図６】第５の実施の形態の発明に係るスクリーンの表示例を示す。
【図７】図３におけるサンプリング回数とカウント速度の関係を示したグラフである。
【図８】第６の実施の形態の発明に係るスクリーンの表示例を示す。
【図９】図８におけるサンプリング回数と移動速度の関係を示したグラフである。
【符号の説明】
１　　スクリーン
２０　ポインティング装置
２１　ボタン群
２２　角速度検出手段
２３　データ送信手段
２４　ポインティング装置システムマイコン
３０　画像表示装置
３１　データ受信手段
３２　表示手段
３３　画像表示装置システムマイコン
３４　メニュー項目
３５　設定数値
３６　指標
４１　カーソル
４２　子画面
５０　メニュー項目
５１　設定数値
５２　指標
５３　ポインタ
【図１】
2004062774.tif 000003
【図２】
2004062774.tif 000004
【図３】
2004062774.tif 000005
【図４】
2004062774.tif 000006
【図５】
2004062774.tif 000007
【図６】
2004062774.tif 000008
【図７】
2004062774.tif 000009
【図８】
2004062774.tif 000010
【図９】
2004062774.tif 000011